(57)【要約】    【課題】  像ゆれの発生を防止するための別体部品を設けることなく、像ゆれの発生を未然に防止することができるズームファインダ装置を提供する。    【解決手段】  ズームレンズ鏡筒を駆動するための駆動環２４の回転に連動してファインダ光学系の倍率を可変するズームファインダ装置において、駆動環２４の外面に設けられたカム溝２４ｃにより駆動される連動部材６０が駆動され、連動部材６０によって、ファインダ光学系の倍率を可変するカム板４１が駆動される。駆動環２４の外面に形成されたカム溝２４ｃは、ＷＩＤＥ端とＴＥＬＥ端のそれぞれに対応する領域がカム勾配を持たない領域（駆動環２４が回転しても連動部材６０が移動されない不感帯領域）になるように形成されている。これにより、連動部材６０によって駆動されるカム板４１は、ＷＩＤＥ端を超える位置へまたはＴＥＬＥ端を超える位置へ移動されることはない。【選択図】      図１６
2006201394.tif 000002
【特許請求の範囲】
【請求項１】
ズームレンズ鏡筒を駆動するための駆動環の回転に連動してファインダ光学系の倍率を可変するズームファインダ装置であって、
前記駆動環の外面に設けられたカムにより駆動される連動部材と、
前記連動部材によって駆動され、前記ファインダ光学系の倍率を可変するカム板とを有し、
前記駆動環の外面に設けられたカムは、前記ズームレンズ鏡筒の広角端と望遠端とのそれぞれに対応する領域が、前記駆動環の回転に連動することなく前記連動部材を駆動させない不感帯領域となるように形成されていることを特徴とするズームファインダ装置。
【請求項２】
前記駆動環は、前記ズームレンズ鏡筒の一部を構成し、少なくとも前記ズームレンズ鏡筒の光軸周りに回転駆動されることを特徴とする請求項１記載のズームファインダ装置。
【請求項３】
前記駆動環は、前記ズームレンズ鏡筒の光軸方向へ進退することなく、前記ズームレンズ鏡筒の光軸周りに回転駆動されることを特徴とする請求項２記載のズームファインダ装置。
【請求項４】
前記駆動環は、前記ズームレンズ鏡筒の光軸周りに回転駆動されながら、前記ズームレンズ鏡筒の光軸方向へ進退することを特徴とする請求項２記載のズームファインダ装置。
【請求項５】
前記カム板には、前記ファインダ光学系に含まれる対物レンズを駆動するための対物レンズ用カムが設けられ、該対物レンズ用カムは、常に勾配が変化するカムであることを特徴とする請求項１記載のズームファインダ装置。
【請求項６】
請求項１記載のズームファインダ装置が組み込まれていることを特徴とするカメラ。
【発明の詳細な説明】
【技術分野】
【０００１】
本発明は、ズームレンズ鏡筒を駆動するための駆動環の回転に連動してファインダ光学系の倍率を可変するズームファインダ装置およびそれが組み込まれているカメラに関する。
【背景技術】
【０００２】
従来、ズームレンズを有するカメラとして、ズームレンズのズーミング動作に連動してファインダ光学系の倍率を可変するズームファインダ装置が設けられているものがある（例えば特許文献１を参照）。
【０００３】
このズームファインダ装置について図２５および図２６を参照しながら説明する。図２５は従来のズームファインダ装置の駆動機構を示す断面図、図２６は図２５のカム環の展開図である。
【０００４】
カメラは、図２５に示すように、ズームレンズのズーミング動作を行うためのズームモータ（図示せず）の回転がギア系を介して伝達される駆動ギア１０１を有する。駆動ギア１０１は、駆動環２０１に形成されている内周ギア２０１ａと噛み合い、駆動環２０１は、駆動ギア１０１により回転駆動される。駆動環２０１の外周面には、外周ギア２０１ｂが形成されており、外周ギア２０１ｂは、ズームファインダ装置へ駆動力を伝達するための伝達ギア３０１と噛み合う。そして、伝達ギア３０１の回転はカム環３０２へ伝達される。すなわち、ズーム動作の駆動力がズームファインダ装置側へ伝達されることになる。
【０００５】
カム環３０２には、図２６に示すように、２つの対物レンズ用カム３０２ａ，３０２ｂが設けられている。各カム３０２ａ、３０２ｂには、各対物レンズ（図示せず）から突出するカムピン４０１，４０２が突き当てられている。ここで、各対物レンズは、ファインダベース５０１に光軸方向に移動可能に保持されている。カム環３０２が回転されると、対物レンズがカム３０２ａ，３０２ｂのカム形状に倣って光軸方向へ移動され、これにより、ファインダ像をズーミングさせることができる。また、カム３０２ａ，３０２ｂは、ＷＩＤＥ端（広角端）、ＴＥＬＥ端（望遠端）のそれぞれに対応する領域（図中の丸印で囲まれた領域ＲＷａ，ＲＷｂ，ＲＴａ，ＲＴｂ）が勾配を持たない領域となるように、形成されているので、ギアのバックラッシュなどの遊びの影響を受けることなく、所望の変倍位置を安定して得ることが可能である。
【特許文献１】特開２００４−１４５０４４号公報
【発明の開示】
【発明が解決しようとする課題】
【０００６】
しかしながら、上記カム３０２ａ，３０２ｂにおいて、勾配が変化する変倍領域からＷＩＤＥ端またはＴＥＬＥ端の勾配を持たない領域へ移行するカム軌跡上には、変極点が存在するので、対物レンズがズーミング時に上記変極点を通過する際に、像ゆれが発生するという問題がある。
【０００７】
また、この像ゆれの発生を防止するためには、対物レンズが上記変極点を通過する際に回転する方向と逆方向への片寄せ力を対物レンズへ与えるための別体部品が必要である。
【０００８】
本発明の目的は、像ゆれの発生を防止するための別体部品を設けることなく、像ゆれの発生を未然に防止することができるズームファインダ装置およびカメラを提供することにある。
【課題を解決するための手段】
【０００９】
本発明は、上記目的を達成するため、ズームレンズ鏡筒を駆動するための駆動環の回転に連動してファインダ光学系の倍率を可変するズームファインダ装置であって、前記駆動環の外面に設けられたカムにより駆動される連動部材と、前記連動部材によって駆動され、前記ファインダ光学系の倍率を可変するカム板とを有し、前記駆動環の外面に設けられたカムは、前記ズームレンズ鏡筒の広角端と望遠端とのそれぞれに対応する領域が、前記駆動環の回転に連動することなく前記連動部材を駆動させない不感帯領域となるように形成されていることを特徴とするズームファインダ装置を提供する。
【００１０】
本発明は、上記目的を達成するため、上記ズームファインダ装置が組み込まれていることを特徴とするカメラを提供する。
【発明の効果】
【００１１】
本発明によれば、像ゆれの発生を防止するための別体部品を設けることなく、像ゆれの発生を未然に防止することができる。
【発明を実施するための最良の形態】
【００１２】
以下、本発明の実施の形態について図面を参照しながら説明する。
【００１３】
（第１の実施の形態）
図１は本発明の第１の実施の形態に係るズームファインダ装置が組み込まれているカメラのレンズ鏡筒の縦断面図、図２は図１のレンズ鏡筒の分解斜視図である。
【００１４】
レンズ鏡筒は、図１および図２に示すように、１群鏡筒１１と、２群鏡筒１２と、３群鏡筒１３と、ローパスフィルタ４と、ＣＣＤ５と、ＣＣＤゴム６とを備える。１群鏡筒１１、２群鏡筒１２のそれぞれには、変倍作用を有する（すなわちズームレンズを構成する）１群レンズ１および２群レンズ２（図１を参照）が保持され、１群鏡筒１１、２群鏡筒１２のそれぞれは、光軸方向へ移動可能である。３群鏡筒１３には、焦点調節と像面補正を行う（すなわちフォーカスレンズを構成する）３群レンズ３（図１を参照）が保持され、３群鏡筒１３は、光軸方向へ移動可能である。
【００１５】
１群鏡筒１１および２群鏡筒１２は、移動カム環２１に保持される。移動カム環２１の内面には、１群鏡筒１１、２群鏡筒１２がそれぞれ保持されるカム溝２１ｃ，２１ｄが形成されている。移動カム環２１は、移動可能に固定筒２２に保持される。
【００１６】
固定筒２２の内面には、３つのカム溝２２ａが形成されており、固定筒２２の外面には、肉厚方向に貫通する３つのガイド溝２２ｂが形成されている。固定筒２２は、ＣＣＤホルダ２３に固定される。ＣＣＤホルダ２３は、ローパスフィルタ４およびＣＣＤ５を保持する。ＣＣＤゴム６は、ＣＣＤ５の撮像面にゴミなどが付着するのを防止するために、ＣＣＤホルダ２３とＣＣＤ５の間に形成される隙間を封止する。
【００１７】
移動カム環２１は、駆動環２４により回転駆動される。１群鏡筒１１および２群鏡筒１２は、直進ガイド環２５により、それぞれ回転を規制されながら、光軸方向へ移動される。３群鏡筒１３は、フォーカスモータ２６により駆動され、フォーカスモータ２６は、３群キャップ２７に固定される。３群キャップ２７は、ＣＣＤホルダ２３に固定される。また、ＣＣＤホルダ２３には、カバー筒２８が固定される。カバー筒２８は、駆動環２４の光軸方向への移動を規制するための部材であり、このカバー筒２８には、後述するファインダベースが固定される。
【００１８】
駆動環２４には、ズームモータ（図示せず）の駆動力を伝達するギア系（図示せず）と噛み合う外周ギア２４ａが形成されており、駆動環２４は、ズームモータからギア系を介して外周ギア２４ａに伝達される駆動力によって、回転駆動される。駆動環２４の前端部は、カバー筒２８に設けられたフランジ部２８ａと当接し、後端部は固定筒２２の後端部に設けられたフランジ部２２ｃと当接する。これによって、駆動環２４の光軸方向への移動が規制される。駆動環２４の内面には、光軸方向へ延びる一定幅の３つの直進ガイド溝２４ｂが設けられている。
【００１９】
移動カム環２１の外面には、固定筒２２の３つのカム溝２２ａとそれぞれ嵌合する３つのフォロアピン２１ａが設けられ、移動カム環２１の回転に応じて各フォロアピン２１ａが対応するカム溝２２ａに沿って移動することになる。移動カム環２１の外周におけるフォロアピン２１ａの略後方位置には、駆動ピン２１ｂが設けられており、駆動ピン２１ｂは、固定筒２２の３つのガイド溝２２ｂを貫通して駆動環２４の直進ガイド溝２４ｂと摺動可能に嵌合する。駆動環２４が回転されると、当該回転が、直進ガイド溝２４ｂに嵌合している駆動ピン２１ｂを介して移動カム環２１に伝達され、移動カム環２１は、固定筒２２のカム溝２２ａに沿って回転しながら光軸方向へ移動することになる。
【００２０】
直進ガイド環２５の外面の前方位置には、突起部２５ａが設けられており、突起部２５ａは、移動カム環２１の内周に設けられたカム溝２１ｃに嵌められている。また、直進ガイド環２５の後端部にはフランジ部２５ｂが設けられており、フランジ部２５ｂは移動カム環２１の後端部と当接する。これによって、直進ガイド環２５の移動カム環２１に対する光軸方向への相対的な移動が規制される。また、直進ガイド環２５の外面の後方位置には、突起部２５ｃが設けられており、突起部２５ｃは、固定筒２２の内面に設けられた直進ガイド（図示せず）に直進可能に嵌合する。これにより、直進ガイド筒２５の光軸周りの回転が規制される。よって、移動カム環２１が固定筒２２のカム溝２２ａに沿って回転移動すると、直進ガイド環２５は、移動カム環２１の光軸方向の移動に追従して光軸方向のみへ移動する。
【００２１】
直進ガイド環２５の外面には、光軸と平行に延びる一定幅の直進ガイド溝２５ｄ，２５ｅが設けられており、直進ガイド溝２５ｄには、１群鏡筒１１に一体的に設けられたガイド部１１ａが、直進ガイド溝２５ｅには、２群鏡筒１２のフォロアがそれぞれ摺動可能に嵌合する。これによって、各群鏡筒１１，１２の回転が規制されるため、移動カム環２１が移動すると、各郡鏡筒１１，１２は回転せずに光軸方向へ移動し、所望の焦点距離に応じたレンズの位置決めを行うことが可能である。また、移動カム環２１のカム溝２１ｃ，２１ｄには、それぞれ、各群鏡筒１１，１２のフォロワが嵌合する。ここで、カム溝２１ｃに嵌合する１群鏡筒１１のフォロアは、１群鏡筒１１に設けられた３つのフォロアピン１１ｂとからなり、カム溝２１ｄに嵌合する２群鏡筒１２のフォロアは、２群鏡筒１２と一体的に設けられた２つのフォロア１２ａと、ばねによりカム溝２１ｄに向けて付勢された可動フォロア１２ｂとからなる。
【００２２】
１群鏡筒１１には、公知のレンズバリア機構１１ｃが設けられており、レンズバリア機構１１ｃは、ＣＣＤホルダ２３に設けられたカム部材２３ａにより、沈胴状態時に撮影光学系の光路を遮断する。２群鏡筒１２には、公知の絞りシャッタユニット１５が固定されており、シャッタユニット１５は、２群鏡筒１２と一体に光軸方向へ移動する。
【００２３】
次に、移動カム環２１のカム溝２１ｃ，２１ｄの形状について図３を参照しながら説明する。図３は図２の移動カム環の内面を展開して示す図である。
【００２４】
移動カム環２１における、１群鏡筒１１に対するカム溝２１ｃおよび２群鏡筒１２に対するカム溝２１ｄは、図３に示すように、それぞれ、ＷＩＤＥ端とＴＥＬＥ端のそれぞれに対応する領域が勾配を持たない領域となるように形成されている。このため、ＷＩＤＥ端、ＴＥＬＥ端のそれぞれにおいて、各群鏡筒１１，１２は、レンズ鏡筒の遊びの影響を受けることがなく、常に安定して所望の焦点距離が得るように位置決めされる。
【００２５】
次に、３群レンズ（フォーカスレンズ）３の駆動について説明する。
【００２６】
３群レンズ３は、上述したように、３群鏡筒１３に保持されており、３群鏡筒１３は光軸と平行に置かれたメインガイドバー２９（図２を参照）に摺動可能に保持されている。メインガイドバー２９の一方の端部は、ＣＣＤホルダ２３に固定され、他方の端部は３群キャップ２７により位置決めされている。メインガイドバー２９に対して、サブガイドバー２３ｂがＣＣＤホルダ２３に設けられており、サブガイドバー２３ｂは、光軸を隔ててメインガイドバー２９の略反対側の位置に配置される。サブガイドバー２３ｂには、３群鏡筒１３の回り止め（図示せず）が摺動可能に嵌合する。さらに、３群鏡筒１３のメインガイドバー２９近傍位置には、断面コの字形状のナット受け部１３ａが設けられている。ナット受け部１３ａのコの字状の隙間には、フォーカスモータ２６の送りネジ部２６ａに螺合するナット１４が置かれ、ナット１４の回転は、回り止め１３ｂ（図１を参照）で規制される。フォーカスモータ２６が駆動されると、回り止めされているナット１４は、送りネジ方向へ送られることになる。
【００２７】
本実施の形態のカメラにおいては、１群レンズ１および２群レンズ２のズーム動作に連動してファインダ光学系の倍率を可変するズームファインダ装置が組み込まれている。このズームファインダ装置について図４〜図７を参照しながら説明する。図４はズームファインダ装置の光軸に沿って得られた水平断面図、図５はズームファインダ装置の下面図、図６はカム板の上面図、図７はカム板の下面図である。
【００２８】
ズームファインダ装置は、図４または図５に示すように、ファインダベース３０と、複数の対物Ｇ１〜Ｇ４レンズ３１〜３４と、プリズム３６と、ダハプリズム３８と、接眼レンズ３９とを有する。対物Ｇ１レンズ３１は、ファインダベース３０に固定されている。対物Ｇ１レンズ３１には、被写体側からの光が入射し、この入射した光は、各対物Ｇ２〜Ｇ４レンズ３２〜３４までの間で屈折を繰り返しながらプリズム３６に入射する。プリズム３６においては、その反射面により入射した光を反射し、反射した光は、視野枠がある面３７で１回結像する。その結像した光は、ダハプリズム３８で反射を繰り返した後、接眼レンズ３９を経て撮影者の目に入射する。
【００２９】
対物Ｇ２レンズ３２、対物Ｇ３レンズ３３、および対物Ｇ４レンズ３４は、２つのガイドバー３５ａ，３５ｂと、回転止めの役割を果たすファインダベース３０に設けられているガイド溝（図示せず）に沿って、光軸方向へ移動可能なように構成されている。ガイドバー３５ａには、対物Ｇ２レンズ３２が軸支されている。ガイドバー３５ａには、圧縮ばね４０ａが挿入され、圧縮ばね４０ａは、対物Ｇ２レンズ３２とファインダベース３０の突き当て部との間に挟まれるように配置されている。圧縮ばね４０ａは、対物Ｇ２レンズ３２に対して対物側の方向へ負荷を掛け、対物Ｇ２レンズを片寄せする。その片寄せの負荷により、対物Ｇ２レンズ３２から突出するカムピン３２ａが、図６に示すカム板４１に設けられているカム溝４１ａの対物側側面に突き当てられる。これにより、カム板４１の移動に伴い対物Ｇ２レンズ３２は、カム溝４１ａが規定するカム形状に倣って光軸方向へ移動する。
【００３０】
ガイドバー３５ｂには、対物Ｇ３レンズ３３、対物Ｇ４レンズ３４が軸支されている。ガイドバー３５ｂには、圧縮ばね４０ｂが挿入され、圧縮ばね４０ｂは、２つの対物Ｇ３，Ｇ４レンズ３３，３４の間に挟まれるように配置されている。この圧縮ばね４０ｂにより、対物Ｇ３レンズ３３は対物側、対物Ｇ４レンズ３４は接眼側の方向にそれぞれ片寄せされる。圧縮ばね４０ｂの片寄せの負荷により、対物Ｇ３レンズ３３から突出するカムピン３３ａが、図６に示すカム板に設けられているカム溝４１ｂの対物側側面に、対物Ｇ４レンズ３４から突設するカムピン３４ａが、カム溝４１ｃの接眼側側面に突き当てられる。これにより、カム板４１の移動に伴い、対物Ｇ３レンズ３３および対物レンズＧ４レンズ３４は、それぞれ、カム溝４１ｂ，４１ｃが規定するカム形状に倣って光軸方向へ移動する。
【００３１】
カム板４１の上面には、図６に示すように、長手方向に延びる２つの直進ガイド溝４１ｄ，４１ｅが設けられている。各直進ガイド溝４１ｄ，４１ｅには、それぞれ、ファインダベース３０の底面から突設する２つのガイドピン３０ａ，３０ｂが摺動可能に嵌合しており、これにより、カム板４１の光軸方向への移動が規制され、カム板４１の光軸と直交する左右方向への移動を可能とする。
【００３２】
カム板４１の下面には、図７に示すように、複数の係合摺動部４１ｆ，４１ｇ，４１ｈが設けられており、各係合摺動部４１ｆ，４１ｇ，４１ｈは、ファインダベース３０の係合突起部３０ｃ，３０ｄ，３０ｅとそれぞれ係合する。これにより、カム板４１が光軸と直交する左右方向へ移動する際に、カム板４１が落下するのが防止される。
【００３３】
このように構成されたズームファインダ装置においては、後述する連動部材によりカム板４１が光軸と直交する左右方向へ移動されると、各対物レンズ３２〜３４は、カム溝４１ａ，４１ｂ，４１ｃに倣って光軸方向へ移動するので、ファインダ像をズーミングさせることができる。
【００３４】
上記ズームファインダ装置には、ズームストロボ装置が一体的に組み込まれている。このズームストロボ装置について図８〜図１１を参照しながら説明する。図８はズームファインダ装置に組み込まれているズームストロボ装置の斜視図、図９は図８のズームストロボ装置の下面図、図１０はズームストロボ装置がファインダベースに組み込まれた状態を示す上面図、図１１はＷＩＤＥ位置でのズームストロボ装置の右側面図である。ここで、図１１においては、分かり易くするために、ファインダベース３０とカム板４１が断面図で表されている。
【００３５】
ズームストロボ装置５０は、図８に示すように、パネル５１、キセノン管５２、反射笠５３、ストロボ保持部材５４、押さえゴム５５などから構成される。パネル５１は、光源から放射された光を集光、または拡散させる機能を有し、ファインダベース３０に固定される。キセノン管５２は、リード線（図示せず）を介して電源に接続されており、被写体を照明するための光源である。反射笠５３は、キセノン管５２から発せられた光を反射してカメラ前方へ導くための反射部材である。押さえゴム５５は、キセノン管５２を反射笠５３に押し付けるための部材である。キセノン管５２、反射笠５３および押さえゴム５５は、ストロボ保持部材５４に組み込まれる。
【００３６】
ズームストロボ装置５０は、ファインダベース３０に軸支されているメインガイドバー５６（図１０を参照）に摺動可能に保持されている。ファインダベース３０のメインガイドバー５６の略反対側の位置には、図１０に示すように、サブガイドバー３０ｆが設けられており、サブガイドバー３０ｆには、ストロボ保持部材５４の回り止め５４ａが摺動可能に嵌合する。メインガイドバー５６を軸として圧縮ばね５７が、ストロボ保持部材５４とファインダベース３０の突き当て部との間に挟まれている（図９および図１０を参照）。圧縮ばね５７は、ストロボ保持部材５４に対してカメラ前方に負荷を掛け、ストロボ保持部材５４を片寄せする。その片寄せの負荷により、図１１に示すように、ストロボ保持部材５４の下面から突設するカムピン５４ｂ（図９を参照）がファインダベース３０の貫通穴３０ｇ（図５を参照）を経てカム板４１に設けられているカム溝４１ｉ（図６を参照）のカメラ前方側側面に突き当てられている。
【００３７】
このように構成されたズームストロボ装置５０においては、カム板４１の移動に伴い、キセノン管５２、反射笠５３が組み込まれているストロボ保持部材５４はカム溝４１ｉのカム形状に倣ってストロボ光軸方向へ進退する。このストロボ保持部材５４の進退に伴い、キセノン管５２および反射笠５３とパネル５１との間の距離が変化するので、ストロボ光の照射角が変化することになる。すなわち、１群鏡筒１１および２群鏡筒のズーム動作（駆動環２４の回転）に連動してストロボ光の照射範囲が変化することになる。
【００３８】
次に、ズームファインダ装置にズームストロボ装置５０が組み込まれた際の構成について図１２〜図１５を参照しながら説明する。図１２はズームファインダ装置の下面図であり、本図は、既に対物レンズは組み込まれているが、カム板４１が組み込まれる前の状態を示す。図１３はカム板がズームファインダ装置に組み込まれた状態（組み込み位置での状態）を示す下面図、図１４はカム板４１がファインダベースに対して落下しない位置まで組み込まれた状態を示す下面図、図１５はファインダベースにズームストロボ装置が組み込まれた位置での右側面図である。
【００３９】
図１２に示すように、対物Ｇ２レンズ３２と対物Ｇ３レンズ３３は対物側に、対物Ｇ４レンズ３４は接眼側にそれぞれ圧縮ばね４０ａ，４０ｂ（図５を参照）により付勢されているので、対物Ｇ２レンズ３２はファインダベース３０の対物側突き当て面に、対物Ｇ３レンズ３３はファインダベース３０に設けられた突起部３０ｈに、対物Ｇ４レンズ３４はファインダベース３０の接眼側の突き当て面に当接されて付勢固定される。この組み込み位置が、図６のカム板上面図におけるＡの組み込み位置（第１の位置）に対応している。図６に示すように、上記組み込み位置においては、対物Ｇ２〜Ｇ４レンズ３２〜３４のカム溝４１ａ〜４１ｃと、２つの直進ガイド溝４１ｄ，４１ｅの幅は、それぞれに対応するピンの径より大きく形成されているので、容易にカム板４１を組み込むことが可能である。
【００４０】
図１３に示すように、上述した各カム溝４１ａ，４１ｂ，４１ｃ，４１ｄ，４１ｅに対して、各対物Ｇ２〜Ｇ４レンズ３２〜３４のカムピン３２ａ，３３ａ，３４ａとファインダベース３０のガイドピン３０ａ，３０ｂがそれぞれ挿入されている状態においては、カム板４１の係合摺動部４１ｆ，４１ｇ，４１ｈが、ファインダベース３０の係合突起部３０ｃ，３０ｄ，３０ｅと重なり合わないので、カム板４１は落下する状態にある。この状態から、カム板４１を図中の矢印方向へ移動させて、カム板４１から突設する係合爪４１ｊがファインダベース３０の係合部３０ｉを乗り越える位置まで組み込むことにより、図１４に示すように、カム板４１の各係合摺動部４１ｆ，４１ｇ，４１ｈがファインダベース３０のそれぞれの係合突起部３０ｃ，３０ｄ，３０ｅと重なり合って係合するので、カム板４１は落下しない状態になる。図１４に示す状態は、カム板４１がＷＩＤＥ位置にある状態である。
【００４１】
ここで、カム板４１がファインダベース３０に組み込まれて、各対物Ｇ２〜Ｇ４レンズ３２〜３４のカムピン３２ａ，３３ａ，３４ａが対応するカム溝４１ａ，４１ｂ，４１ｃに係合すると、対物Ｇ２レンズ３２が対物側に、対物Ｇ３レンズ３３が対物側に、対物Ｇ４レンズ３４が接眼側にそれぞれ付勢されているので、図６に示すように、カム板４１には、付勢力Ｆ３２、Ｆ３３、Ｆ３４が働くことになる。そして、カムピン３２ａ，３３ａ，３４ａがカム溝４１ａ，４１ｂ，４１ｃを押す力の方向とカム溝４１ａ，４１ｂ，４１ｃの勾配との関係から、分力ｆ３２，ｆ３３，ｆ３４が働いて、カム板４１は常時、図６における右方向へ付勢されることになる。これにより、カム板４１は係合爪４１ｊがファインダベース３０の係合部３０ｉに当接する位置で付勢固定される（沈胴位置）。沈胴位置においては、カム板４１の各係合摺動部４１ｆ，４１ｇ，４１ｈがファインダベース３０のそれぞれの係合突起部３０ｃ，３０ｄ，３０ｅと重なり合って係合するので、カム板４１が落下することはない。ここで、カム板４１の組み込み位置（第１の位置）とは、カメラの使用領域外の位置であり、カム板４１が組み込まれた沈胴位置の以降の位置は、カメラの使用領域の位置となる。
【００４２】
以上のように、本実施の形態の構成によれば、カム板４１をファインダベース３０へ容易に組み込むことが可能であり、カム板４１を一度ファインダベース３０へ組み込めば、カム板４１がファインダベース３０に付勢固定されるので、カム板４１からファインダベース３０から外れることがない。
【００４３】
また、図１５に示すように、カム板４１に設けられているカム溝４１ｉにおいて使用されている部分は前方側側面であるので、その後方側は大きく逃がされている（図６を参照）。ファインダベース３０の貫通穴３０ｇにおいても、その後方が大きく逃がされている（図４を参照）。これにより、図１５に示すように、ＴＥＬＥ位置よりさらに後方、ストロボ保持部材５４の回り止め５４ａがファインダベース３０のサブガイドバー３０ｆと嵌合しない位置（組み込み位置）においても、ストロボ保持部材５４の下面から突設するカムピン５４ｂを、貫通穴３０ｇを経てカム溝４１ｉに挿入することが可能となる。よって、ファインダベース３０の上面側からズームストロボ装置５０（ストロボ保持部材５４）を組み込み位置に組み込み、メインガイドバー５６と圧縮バネ５７をファインダベース３０に組み込むと、圧縮バネ５７によりズームストロボ装置５０（ストロボ保持部材５４）が前方に付勢されて回り止め５４ａとサブガイドバー３０ｆとが嵌合し、カムピン５４ｂがカム溝４１ｉに当接する位置で付勢固定される（図１１を参照）。
【００４４】
以上のように、本実施の形態の構成によれば、ズームストロボ装置５０（ストロボ保持部材５４）を組み込むためにカム板４１との位置合わせを行う必要がなく、ズームストロボ装置５０の組み込みが容易になる。また、カム溝４１ｉの後方が大きく逃がされているので、ズームストロボ装置５０の組み込み位置におけるカムピン５４ｂとカム溝４１ｉとの関係は、カム板４１の位置とは無関係に一定となり、カム板４１がいかなる位置にあってもズームストロボ装置５０を組み込むことが可能である。
【００４５】
次に、レンズ鏡筒からズームファインダ装置およびズームストロボ装置へ駆動力を伝達する伝達機構について図１６〜図１９を参照しながら説明する。図１６はレンズ鏡筒からズームファインダ装置およびズームストロボ装置へ駆動力を伝達する伝達機構の構成を示す分解斜視図、図１７は図１６の伝達機構の詳細を示す斜視図、図１８はレンズ鏡筒にファインダベースが組み込まれた状態を示す斜視図、図１９は駆動環の外面を展開して示す図である。
【００４６】
レンズ鏡筒からズームファインダ装置およびズームストロボ装置へ駆動力を伝達する伝達機構においては、図１６に示すように、駆動環２４からカム板４１へ駆動力を伝達するための連動部材６０が設けられている。連動部材６０には、係止部６０ａと、連動部材６０の斜め下方へ延びるガイドピン６０ｂと、カムピン６０ｃとが形成されている。連動部材６０は、ガイドバー６１に摺動可能に保持され、ガイドバー６１は、ＣＣＤホルダ２３の溝部２３ｃとカバー筒２８の孔２８ｂとの間に軸支されている（図２を参照）。連動部材６０の係止部６０ａには、引張りばね６２の一端が係止され、その他端はＣＣＤホルダ２３に設けられたフック２３ｄに係止され（図２を参照）、引張りばね６２は、連動部材６０をカメラ後方側へ向けて付勢する。
【００４７】
連動部材６０のガイドピン６０ｂは、カバー筒２８に形成されている肉厚方向へ貫通したガイド溝２８ｃに摺動可能に挿通され、その先端は駆動環２４の外面に形成されたカム溝２４ｃに嵌合する。これにより、連動部材６０のガイドバー６１周りの回転が規制され、駆動環２４の回転に伴い連動部材６０は、カム溝２４ｃに倣って光軸方向へ駆動される。ここで、図１９に示すように、駆動環２４の外面に形成されたカム溝２４ｃは、ＷＩＤＥ端とＴＥＬＥ端のそれぞれに対応する領域がカム勾配を持たない領域（駆動環２４が回転しても連動部材６０が移動されない不感帯領域）になるように形成されている。カム板４１が一体的に保持されているファインダベース３０は、カバー筒２８に固定されており、連動部材６０の上面に設けられたカムピン６０ｃがカム板４１の底面に設けられているカム溝４１ｋと嵌合する（図７を参照）。
【００４８】
上述したようにカム板４１の各直進ガイド溝４１ｄ、４１ｅには、それぞれ、ファインダベース３０の対応するガイドピン３０ａ，３０ｂが摺動可能に嵌合しているので、カム板４１の光軸方向への移動が規制され、カム板４１は、光軸と直交する左右方向へ移動可能である。よって、駆動環２４の回転に伴い連動部材６０が光軸方向へ移動すると、カム板４１はカム溝４１ｋに倣って光軸と直交する左右方向へ移動することになる。ここで、本実施の形態のように、連動部材６０からカム板４１への駆動力の伝達を、カムピン６０ｃとカム溝４１ｋとの係合により行うような構成に限定をされることはなく、例えばギアとラックとで、駆動力を伝達する機構としてもよい。
【００４９】
このように、本実施の形態においては、レンズ鏡筒の回転運動を、１つの連動部材６０を介してカム板４１の光軸と直交する左右方向への直線運動に変換することによって、レンズ鏡筒からズームファインダ装置およびズームストロボ装置への駆動力の伝達が実現されており、これにより、部品削減とそれによる小型化の達成、さらには伝達機構の簡素化による高精度なカム板の位置制御が可能である。
【００５０】
また、駆動環２４のカム溝２４ｃのＷＩＤＥ端とＴＥＬＥ端のそれぞれに対応する領域がカム勾配を持たない領域（不感帯領域）であるので、この不感帯領域により、レンズ鏡筒の遊びによる駆動環２４の回転角のばらつきにより、たとえ駆動環２４がＷＩＤＥ端を超える位置へまたはＴＥＬＥ端を超える位置まで回転されても、連動部材６０はＷＩＤＥ端を超える位置へまたはＴＥＬＥ端を超える位置へ移動されることはない。よって、連動部材６０によって駆動されるカム板４１は、ＷＩＤＥ端を超える位置へまたはＴＥＬＥ端を超える位置へ移動されることはなく、常に安定して所望のズームファインダ装置の変倍位置およびズームストロボ装置の照射角（照射範囲）を得ることが可能である。また、カム板４１はＷＩＤＥ端を超える位置へまたはＴＥＬＥ端を超える位置へ移動されることはないので、カム板４１に設けられた対物Ｇ２，Ｇ３，Ｇ４レンズ３２，３３，３４のカム溝４１ａ，４１ｂ，４１ｃには、従来必要であった勾配を持たない領域は設けられていない（図６を参照）。よって、従来存在していた対物レンズ用カム溝の勾配が変化する変倍領域から勾配を持たない領域へ移る際の変極点が存在しないため、変極点を通過する際の対物レンズの像ゆれの発生を未然に防止することができる。
【００５１】
このように、本実施の形態によれば、対物レンズ用カム溝４１ａ，４１ｂ，４１ｃに変極点を設ける必要がないので、対物レンズを安定に動作させることが可能であり、さらには、像ゆれの発生を防止するための片寄せ力を得るための別体部品が不要となり、部品削減が可能である。
【００５２】
（第２の実施の形態）
次に、本発明の第２の実施の形態について図２０〜図２４を参照しながら説明する。図２０は本発明の第２の実施の形態に係るズームファインダ装置が組み込まれているカメラのレンズ鏡筒の沈胴状態における縦断面図、図２１は本発明の第２の実施の形態に係るズームファインダ装置が組み込まれているカメラのレンズ鏡筒の広角位置における縦断面図、図２２は図２０のレンズ鏡筒の分解斜視図、図２３はレンズ鏡筒からズームファインダ装置およびズームストロボ装置へ駆動力を伝達する伝達機構の構成を示す分解斜視図、図２４は図２３の移動カム環の外面を展開して示す図である。
【００５３】
本実施の形態において、ズームファインダ装置とズームストロボ装置の構成は、上記第１の実施の形態と同じであるため、その説明は省略する。また、図中、第１の実施の形態の構成要素と同じ構成要素については、同一の符号を付し、その説明は省略する。
【００５４】
レンズ鏡筒は、図２０〜図２２に示すように、変倍作用を有する１群レンズ７１、２群レンズ７２および３群レンズ７３を保持する１群鏡筒８１、２群鏡筒８２、３群鏡筒８３と、焦点調節と像面補正を行う４群レンズ７４を保持する４群鏡筒８４と、ローパスフィルタ４と、ＣＣＤ５と、ＣＣＤゴム６とを備える。１，２群鏡筒８１，８２は、内面にカム溝を有する移動カム環９１に保持される。３群鏡筒８３は、ＣＣＤホルダ９３に固定されている。
【００５５】
移動カム環９１は、固定筒９２に移動可能に保持される。固定筒９２の内面には、３つのカム溝９２ａ、および光軸方向へ延びる一定幅の直進ガイド溝９２ｂが形成されている。固定筒９２は、ＣＣＤホルダ９３に固定されており、ＣＣＤホルダ９３は、ローパスフィルタ４およびＣＣＤ５を保持する。また、ＣＣＤホルダ９３には、４群鏡筒８４を駆動するためのフォーカスモータ９４が固定されている。
【００５６】
移動カム環９１の外周には、外周ギア９１ａが形成されており、外周ギア９１ａは、ズームモータ（図示せず）の回転を伝達するギア系（図示せず）に噛み合う。これにより、移動カム環９１は、上記ズームモータにより回転駆動される。また、移動カム環９１の外周には、固定筒９２の各カム溝９２ａとそれぞれ嵌合する３つのフォロアピン９１ｂが設けられており、移動カム環９１は固定筒９２の各カム溝９２ａに沿って回転しながら光軸方向へ移動する。移動カム環９１の内面には、２つのカム溝９１ｃ，９１ｄが形成されており、各カム溝９１ｃ，９１ｄには、それぞれ、１群鏡筒８１、２群鏡筒８２に設けられているフォロアピン８１ｃ，８２ｂが嵌合する。
【００５７】
固定筒９２の直進ガイド溝９２ｂには、１群鏡筒８１に一体的に設けられたガイド部８１ａが摺動可能に嵌合する。また、１群鏡筒８１の外面には、光軸方向へ延びる一定幅の直進ガイド溝８１ｂが形成されており、直進ガイド溝８１ｂには、２群鏡筒８２に一体的に設けられたガイド部８２ａが摺動可能に嵌合する。これにより、各群鏡筒８１，８２の回転が規制され、移動カム環９１が光軸方向へ移動されると、各郡鏡筒８１，８２は回転することなく光軸方向へ移動することになる。よって、所望の焦点距離に応じたレンズの配置を行うことが可能である。
【００５８】
１群鏡筒８１には、公知のレンズバリア機構８１ｄが設けられており、レンズバリア機構８１ｄは、３群鏡筒８３に設けられたカム部材８３ａにより、沈胴状態時に撮影光学系の光路を遮断するように駆動される。また、３群鏡筒８３には、公知の絞りシャッタユニット８５が固定されている。
【００５９】
次に、レンズ鏡筒からズームファインダ装置およびズームストロボ装置へ駆動力を伝達するための伝達機構について図２３および図２４を参照しながら説明する。
【００６０】
本実施の形態において、連動部材６０に関する構成は上記第１の実施の形態と同じであるので、その説明は省略する。本実施の形態は、図２３に示すように、上記第１の実施の形態に対し、連動部材６０のガイドピン６０ｂと嵌合するカム溝９１ｅが、光軸方向へ進退する移動カム環９１の外面に設けられている点で異なる。ここで、カム溝９１ｅは、連動部材６０との相対的な位置関係が、第１の実施の形態における光軸方向へ進退しない駆動環２４の外面に設けられているカム溝２４ｃと連動部材６０の相対的な位置関係と等しくなるように、移動カム環９１に設けられている。また、図２４に示すように、カム溝９１ｅには、第１の実施の形態におけるカム溝２４ｃと同様に、ＷＩＤＥ端とＴＥＬＥ端に対応する領域がカム勾配を持たないように、形成されている。よって、第１の実施の形態において詳述した通り、カム板４１に設けられた対物レンズ用のカム溝には、勾配を持たない領域を形成する必要がない。
【００６１】
このように、本実施の形態によれば、第１の実施の形態と同様に、レンズ鏡筒の回転運動を１つの連動部材６０を介してカム板４１の光軸と直交する左右方向への直線運動に変換することによって、レンズ鏡筒からズームファインダ装置およびズームストロボ装置への駆動力の伝達が実現される。よって、部品削減とそれによる小型化の達成、さらには、伝達機構の簡素化による高精度なカム板の位置制御が可能になる。また、対物レンズのカム溝に変極点を設ける必要がないため、対物レンズを安定に動作させることが可能であり、さらには、像ゆれの発生を防止するための片寄せ力を得るための別体部品が不要となり、部品削減が可能である。
【図面の簡単な説明】
【００６２】
【図１】本発明の第１の実施の形態に係るズームファインダ装置が組み込まれているカメラのレンズ鏡筒の縦断面図である。
【図２】図１のレンズ鏡筒の分解斜視図である。
【図３】図２の移動カム環の内面を展開して示す図である。
【図４】ズームファインダ装置の光軸に沿って得られた水平断面図である。
【図５】ズームファインダ装置の下面図である。
【図６】カム板の上面図である。
【図７】カム板の下面図である。
【図８】ズームファインダ装置に組み込まれているズームストロボ装置の斜視図である。
【図９】図８のズームストロボ装置の下面図である。
【図１０】ズームストロボ装置がファインダベースに組み込まれた状態を示す上面図である。
【図１１】ＷＩＤＥ位置でのズームストロボ装置の右側面図である。
【図１２】ズームファインダ装置の下面図である。
【図１３】カム板がズームファインダ装置に組み込まれた状態（組み込み位置での状態）を示す下面図である。
【図１４】カム板４１がファインダベースに対して落下しない位置まで組み込まれた状態を示す下面図である。
【図１５】ファインダベースにズームストロボ装置が組み込まれた位置での右側面図である。
【図１６】レンズ鏡筒からズームファインダ装置およびズームストロボ装置へ駆動力を伝達する伝達機構の構成を示す分解斜視図である。
【図１７】図１６の伝達機構の詳細を示す斜視図である。
【図１８】レンズ鏡筒にファインダベースが組み込まれた状態を示す斜視図である。
【図１９】駆動環の外面を展開して示す図である。
【図２０】本発明の第２の実施の形態に係るファインダ装置が組み込まれているカメラのレンズ鏡筒の沈胴位置における縦断面図である。
【図２１】本発明の第２の実施の形態に係るファインダ装置が組み込まれているカメラのレンズ鏡筒の広角位置における縦断面図である。
【図２２】図２０のレンズ鏡筒の分解斜視図である。
【図２３】レンズ鏡筒からズームファインダ装置およびズームストロボ装置へ駆動力を伝達する伝達機構の構成を示す分解斜視図である。
【図２４】図２３の移動カム環の外面を展開して示す図である。
【図２５】従来のズームファインダ装置の駆動機構を示す断面図である。
【図２６】図２５のカム環の展開図である。
【符号の説明】
【００６３】
１，７１  １群レンズ
２，７２  ２群レンズ
３，７３  ３群レンズ
１１，８１  １群鏡筒
１２，８２  ２群鏡筒
１３，８３  ３群鏡筒
２４  駆動環
２４ｃ，９１ｅ  カム溝
２４ｃ  ガイド溝
３０  ファインダベース
３０ｃ，３０ｄ，３０ｅ  係合突起部
３１  対物Ｇ１レンズ
３２  対物Ｇ２レンズ
３３  対物Ｇ３レンズ
３４  対物Ｇ４レンズ
４１  カム板
４１ｆ，４１ｇ，４１ｈ  係合摺動部
５０  ズームストロボ装置
５１  パネル
５２  キセノン管
５３  反射笠５３
５４  ストロボ保持部材
６０  連動部材
６０ｂ  ガイドピン
７４  ４群レンズ
８４  ４群鏡筒
９１  移動カム環
【図１】
2006201394.tif 000003
【図２】
2006201394.tif 000004
【図３】
2006201394.tif 000005
【図４】
2006201394.tif 000006
【図５】
2006201394.tif 000007
【図６】
2006201394.tif 000008
【図７】
2006201394.tif 000009
【図８】
2006201394.tif 000010
【図９】
2006201394.tif 000011
【図１０】
2006201394.tif 000012
【図１１】
2006201394.tif 000013
【図１２】
2006201394.tif 000014
【図１３】
2006201394.tif 000015
【図１４】
2006201394.tif 000016
【図１５】
2006201394.tif 000017
【図１６】
2006201394.tif 000018
【図１７】
2006201394.tif 000019
【図１８】
2006201394.tif 000020
【図１９】
2006201394.tif 000021
【図２０】
2006201394.tif 000022
【図２１】
2006201394.tif 000023
【図２２】
2006201394.tif 000024
【図２３】
2006201394.tif 000025
【図２４】
2006201394.tif 000026
【図２５】
2006201394.tif 000027
【図２６】
2006201394.tif 000028